【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
高圧ハウジングと、
少なくとも１つの自己内蔵型のカートリッジと、
前記カートリッジの各端部の近くの支持シムと、
を備える、高圧脱気モジュール。
【請求項２】
複数の前記自己内蔵型のカートリッジを含む、請求項１に記載の高圧脱気モジュール。
【請求項３】
前記高圧ハウジングは標準ＲＯ圧力容器である、請求項１に記載の高圧脱気モジュール。
【請求項４】
高圧力の螺旋型の中空糸膜織物を含むモジュールまたはコンタクタであって、
細長い円筒形の中心開口を有する高圧モジュールハウジングまたは容器と、
前記モジュールハウジングの端部に嵌入し、または前記モジュールハウジングの端部に嵌合するように適合された一対のエンドキャップと、
それぞれの前記エンドキャップにおける液体端面ポートと、
少なくとも一方の前記エンドキャップにおける、または好ましくは前記モジュールハウジングの一方の端部の近くの前記モジュールハウジングの側面における少なくとも１つのガスポートと、
前記モジュールハウジングの前記細長い円筒形の中心開口に嵌入するように適合された少なくとも１つの膜カートリッジと
を備え、それぞれの膜カートリッジは、
ａ．それぞれがルーメンおよびシェルまたは外部を有し、前記膜は織物状のアレイに形成され、織物状のアレイでは前記中空糸は互いに実質的に平行であり、好ましくは前記織物の横糸を構成し、前記織物の縦糸を構成するフィラメントにより隔離した関係を維持される、複数の中空糸膜を備え、
ｂ．前記アレイは、前記中空糸に実質的に平行な軸に巻き付けられて、２つの束端部および円筒形の外面を有する螺旋状に巻かれた膜束を形成しており、
ｃ．前記２つの束端部のそれぞれは、隣接するモノリシックな管板の中に束端部をシールする役目を果たす樹脂ポッティング材料の中にポッティングされており、シェル側領域を形成するために、２枚の管板間の束の部分にはポッティング材料がなく、前記束端部のうちの第１の束端部を構成する前記中空糸の前記ルーメン端が露出しており、前記カートリッジの外部と連通しており、
ｄ．カートリッジシェルまたはケーシングは第１および第２のシェル端部ならびに円筒形のシェル内面を有し、前記膜束を収容するように適した形状にされ、前記第１のカートリッジシェル端部に隣接する前記管板（ポッティング）は、前記円筒形のシェル内面に対して前記第１の束端部をシールし、前記束を含む前記カートリッジシェルは、前記膜を通して互いに連通した２つの領域を画定し、前記２つの領域は、（ｉ）前記管板間で前記シェル内の前記束の前記部分の外側のシェル側空間と、（ｉｉ）前記中空糸ルーメンおよび前記第１の束端部を含むルーメン側空間と
を含む、カートリッジシェルまたはケーシングを備え、
前記エンドキャップの第１のエンドキャップの内面および前記第１のカートリッジシェル端部に隣接する前記モジュールハウジングの内面は、前記第１のカートリッジシェル端部、Ｏリングシール、および前記第１の束端部とともに、前記第１のモジュールハウジング端部をシールし、前記膜ルーメンと連通する第１のチャンバを画定し、
前記エンドキャップの第２のエンドキャップの内面および第２のカートリッジシェル端部に隣接する前記モジュールハウジングの内部は、前記第２のカートリッジシェル端部、Ｏリングシール、および前記第２の束端部とともに、第２のモジュールハウジング端部をシールし、前記膜ルーメンと連通する第２のチャンバを画定し、
前記液体端面ポートは、それぞれの前記膜カートリッジの前記シェル側空間に動作可能に接続されており、前記液体端面ポートを通して流体を注入し、流体を抜き取ることができるように配置されており、
前記少なくとも１つのガスポートは、前記第１のチャンバおよび前記第２のチャンバのうちの少なくとも一方と連通しており、前記少なくとも１つのガスポートを通してガスを注入し、ガスを抜き取ることができるように配置されており、
モジュールまたはコンタクタのそれぞれは、１つまたは複数のシム、スペーサー、および／または突起などを、前記カートリッジシェルの外面、前記モジュールハウジングの内面、前記カートリッジシェルの外面および前記モジュールハウジングの内面、ならびに／または前記シェルと前記ハウジングとの間に有することとを含む、高圧力の螺旋型の中空糸膜織物を含むモジュールまたはコンタクタ。
【請求項５】
少なくともそれぞれの前記エンドキャップのそれぞれ、または前記モジュールハウジングのそれぞれの端部の近くの前記モジュールハウジングのそれぞれの側面に、１つのガスポートがある、少なくとも２つのガスポートをさらに備えた、請求項４に記載の高圧力の螺旋型の中空糸膜織物を含むモジュールまたはコンタクタ。
【請求項６】
縦軸および円筒形の外面、軸方向の孔、ならびに前記孔と連通した前記外面に沿った穴を有する、それぞれの前記膜カートリッジ内の中空のマンドレルをさらに備える、請求項４に記載の高圧力の螺旋型の中空糸膜織物を含むモジュールまたはコンタクタ。
【請求項７】
前記中空糸の両方の前記ルーメン端が露出しており、前記束の前記外部と連通している、請求項４に記載の高圧力の螺旋型の中空糸膜織物を含むモジュールまたはコンタクタ。
【請求項８】
前記モジュールハウジングは、ＲＯ高圧容器などの高圧容器または高圧ハウジングである、請求項４に記載の高圧力の螺旋型の中空糸膜織物を含むモジュールまたはコンタクタ。
【請求項９】
前記カートリッジハウジングが破裂するのを前記モジュールハウジングが防ぎ、加圧下で前記カートリッジハウジングが膨張した場合に、前記モジュールハウジングは、前記カートリッジハウジングを封じ込め、抑え込むので、前記カートリッジハウジングは前記高圧に耐える必要がない、請求項４に記載の高圧力の螺旋型の中空糸膜織物を含むモジュールまたはコンタクタ。
【請求項１０】
加圧下で前記カートリッジシェルが膨張した場合または機能しない場合、前記モジュールハウジングが前記カートリッジシェルを封じ込めおよび抑え込む、請求項４に記載の高圧力の螺旋型の中空糸膜織物を含むモジュールまたはコンタクタ。
【請求項１１】
前記膜カートリッジが機能しない場合、前記モジュールハウジングおよびエンドキャップが前記膜カートリッジを封じ込める、請求項４に記載の高圧力の螺旋型の中空糸膜織物を含むモジュールまたはコンタクタ。
【請求項１２】
高圧モジュールまたはコンタクタのそれぞれは、１つまたは複数のシム、スペーサー、および／または突起などを前記カートリッジシェルの外面上に有し、前記モジュールまたはカートリッジが加圧されると、前記モジュールハウジング内面と接触するように適合される、請求項４に記載の高圧力の螺旋型の中空糸膜織物を含むモジュールまたはコンタクタ。
【請求項１３】
前記カートリッジシェルの外面上に１つまたは複数のシム、スペーサー、および／または突起などを有し、前記モジュールまたはカートリッジが加圧されると、前記モジュールハウジングの内部に接触するように適合される、請求項４に記載の高圧力の螺旋型の中空糸膜織物を含むモジュールまたはコンタクタ。
【請求項１４】
モジュール、コンタクタ、またはカートリッジを作成する方法であって、１つまたは複数のシム、スペーサー、および／または突起などを前記カートリッジシェルの外面上に付加し、前記モジュール、コンタクタまたはカートリッジが加圧されると、前記モジュールまたはコンタクタハウジングの内部に接触するように適合させることを含む、方法。
【請求項１５】
１つまたは複数のシム、スペーサー、および／または突起などを前記カートリッジシェルの外面上に加えること、前記モジュール、コンタクタまたはカートリッジが加圧されると、前記モジュールまたはコンタクタハウジングの内部に接触するように適合されること、とを含む、モジュール、コンタクタ、またはカートリッジの圧力定格を向上させる方法。
【請求項１６】
少なくとも１つの膜カートリッジを囲う高圧ハウジングであって、前記膜カートリッジはシェルを有する高圧ハウジングと、
前記シェル上、前記高圧ハウジング上、前記シェルおよび前記高圧ハウジングの両者上、または前記シェルおよび前記高圧ハウジングの間にある１つまたは複数のシム、スペーサー、および／または突起と、
を備える膜コンタクタ。